(57)【特許請求の範囲】
【請求項１】
（ａ）樹脂を可塑化する可塑化装置と該可塑化装置を支持する支持台との間に配設されるレール部材と、
（ｂ）該レール部材に接触する回転可能なローラ、該ローラを支持する上下方向に移動可能なローラ支持部材、及び、該ローラ支持部材を支持する弾性部材を備え、前記可塑化装置と支持台との間に配設されるローラ支持装置とを有することを特徴とする可塑化装置用支持装置。
【請求項２】
前記レール部材は、前記可塑化装置に取り付けられ、前記ローラ支持装置は、前記支持台に取り付けられる請求項１に記載の可塑化装置用支持装置。
【請求項３】
前記レール部材は、前記支持台に取り付けられ、前記ローラ支持装置は、前記可塑化装置に取り付けられる請求項１に記載の可塑化装置用支持装置。
【請求項４】
前記ローラ支持部材は、ベース部材、及び、該ベース部材にガイドロッドを介して取り付けられ、前記ローラを回転可能に支持する支持ブラケットを備え、前記弾性部材は、前記支持ブラケットと前記ベース部材との間に介在する請求項１に記載の可塑化装置用支持装置。
【請求項５】
前記ガイドロッドは、前記支持ブラケットを軸方向に摺動自在に支持し、前記支持ブラケットをアジャストするアジャストボルトが螺入されている請求項４に記載の可塑化装置用支持装置。
【請求項６】
前記弾性部材は、ばね部材である請求項１〜５のいずれか１項に記載の可塑化装置用支持装置。
【発明の詳細な説明】
【０００１】
【発明の属する技術分野】
本発明は、可塑化装置用支持装置に関するものである。
【０００２】
【従来の技術】
従来、射出成形機のような成形機においては、加熱シリンダ内で加熱され、溶融させられた樹脂を加熱シリンダの先端に取り付けられたノズルから射出して金型のキャビティに充填（てん）し、該キャビティ内で冷却し、固化させ、成形品を成形するようになっている。
【０００３】
この場合、前記加熱シリンダは、金型に対して前進及び後退するように駆動される。そして、金型が型開されている状態では、後退させられ、金型の型閉、型締が行われると、前進させられ、前記ノズルが金型の背面に取り付けられたスプルーブッシュに押し付けられる。この状態で、前記加熱シリンダ内で加熱され、溶融させられた樹脂は、前記ノズルから射出され、スプルーを通過して、金型のキャビティに充填される。続いて、該キャビティ内の成形品がある程度冷却すると、前記加熱シリンダが後退させられ、型開が行われ、成形品が取り出される。
【０００４】
ここで、成形機が大型化すると、前記加熱シリンダも、大型化して全長が長くなり、自重によって撓（たわ）んでしまう。そして、前記加熱シリンダが撓むと、内部に配設された回転スクリュの外周が前記加熱シリンダの内周面と接触し、前記回転スクリュの外周及び加熱シリンダの内周面が摩耗してしまう。
【０００５】
そこで、加熱シリンダがある程度大型化した場合、自重による撓みを防止するための支持装置が前記加熱シリンダに取り付けられるようになっている。
【０００６】
図２は従来の支持装置が取り付けられた可塑化装置を示す側面図である。
【０００７】
図において、１０１は固定プラテン、１０２は加熱シリンダ、１０３は該加熱シリンダ１０２内に配設された回転スクリュ、１０５は前記加熱シリンダ１０２の先端（図における左端）に取り付けられたノズルである。また、前記加熱シリンダ１０２の外周における後方（図における右方）部分には、図示されないホッパが取り付けられ、ペレット状の樹脂原料が前記加熱シリンダ１０２内に供給される。さらに、前記加熱シリンダ１０２の後方には、前記回転スクリュ１０３を回転させる図示されないスクリュ回転装置、及び、前記回転スクリュ１０３を前後方向（図における左右方向）に進退させる図示されないスクリュ進退装置が配設される。
【０００８】
そして、前記加熱シリンダ１０２は支持ブラケット１０８に取り付けられ、該支持ブラケット１０８は、ガイドロッド１１２に沿って前後方向にスライドするスライド部材１１１に固定される。また、該スライド部材１１１の後方には、図示されないスライド部材駆動装置が配設され、前記スライド部材１１１を前後方向にスライドさせるようになっている。なお、前記ガイドロッド１１２は射出装置支持台１１３上に固定されている。そのため、前記加熱シリンダ１０２、支持ブラケット１０８、スライド部材１１１、ガイドロッド１１２等の重量は、前記射出装置支持台１１３によって支えられる。
【０００９】
また、前記加熱シリンダ１０２の下面には、中間支持装置１１５が取り付けられる。該中間支持装置１１５は、前記加熱シリンダ１０２の下面に高さ調整ねじ１１８を介して取り付けられる支持ロッド１１６、及び、該支持ロッド１１６の下端に回転可能に取り付けられるローラ１１７を備える。そして、該ローラ１１７は、前記射出装置支持台１１３上に配設されたレール１１４の上を転動する。なお、前記加熱シリンダ１０２の周囲には、加熱ヒータ、熱媒流路等から成る加熱装置を取り付けることもできる。
【００１０】
一方、前記固定プラテン１０１は、型締装置支持台１０７上に固定され、さらに、前記固定プラテン１０１の図における左側の面には、図示されない固定金型が取り付けられている。そして、該固定金型の左側には図示されない型締装置の可動プラテンに取り付けられた可動金型が配設される。
【００１１】
ここで、前記可塑化装置においては、前記加熱シリンダ１０２内において回転スクリュ１０３が回転させられると、ホッパから投入されたペレット状の樹脂原料が加熱され、溶融され、可塑化される、すなわち、流動性の溶融樹脂となる。そして、加熱シリンダ１０２内の先端部に溶融樹脂が徐々に蓄積される。
【００１２】
また、前記型締装置が作動して、前記可動金型の合わせ面が固定金型の合わせ面に押し付けられて型閉が行われると、前記固定金型及び可動金型の合わせ面に成形品の形状を有するキャビティが形成される。
【００１３】
そして、前記スライド部材駆動装置が作動し、スライド部材１１１が前方（図における左方）へ移動させられる。これにより、前記加熱シリンダ１０２が前進するので、ノズル１０５が固定プラテン１０１に形成された挿入孔１０６内に進入する。そして、前記ノズル１０５の先端は固定金型の背面に取り付けられたスプルーブッシュに押し付けられる。
【００１４】
ここで、前記加熱シリンダ１０２の先端近傍の重量は、中間支持装置１１５によって支持されている。そのため、前記加熱シリンダ１０２が自重によって撓むことがないので、回転スクリュ１０３の外周が前記加熱シリンダ１０２の内周面と接触し、前記回転スクリュ１０３の外周及び加熱シリンダ１０２の内周面が摩耗してしまうことがない。
【００１５】
しかも、該中間支持装置１１５は、ローラ１１７を備え、射出装置支持台１１３上に配設されたレール１１４の上を加熱シリンダ１０２と共に移動する。そのため、前記加熱シリンダ１０２が前進している間も、該加熱シリンダ１０２の先端に取り付けられたノズル１０５の高さ方向の位置は、変化することがない。したがって、前記ノズル１０５の先端がスプルーブッシュに押し付けられる時に、前記ノズル１０５の先端の中心軸とスプルーブッシュの中心軸とが一致しているので、前記ノズル１０５又はスプルーブッシュが損傷することがない。
【００１６】
続いて、前記スクリュ進退装置が作動し、回転スクリュ１０３が前進させられると、加熱シリンダ１０２内の先端部に蓄積された溶融樹脂は、ノズル１０５から射出され、固定金型に形成されたスプルーを通過して、金型のキャビティに充填される。この時、前記ノズル１０５の中心軸とスプルーブッシュの中心軸とが一致し、前記ノズル１０５の先端の当接面とスプルーブッシュの当接面との間に隙（すき）間が生じることもないので、前記溶融樹脂は漏れ出すことがない。
【００１７】
このように、中間支持装置１１５を備えることによって、加熱シリンダ１０２の自重による撓みを防止することができ、回転スクリュ１０３及び加熱シリンダ１０２の摩耗、ノズル１０５及びスプルーブッシュの損傷、溶融樹脂の漏出等を防止することができる。
【００１８】
【発明が解決しようとする課題】
しかしながら、前記従来の支持装置においては、金型が交換されてスプルーブッシュの高さ位置が変化した場合のように加熱シリンダ１０２の高さ位置を調整する必要がある時、前記加熱シリンダ１０２の高さ位置を調整する作業が複雑であり、時間がかかってしまう。
【００１９】
通常、金型が交換されるとスプルーブッシュの高さ位置が多少変化する。そして、前記高さ位置の変化量がわずかであっても、それに対応して加熱シリンダ１０２の高さ位置を調整しないと、ノズル１０５の中心軸とスプルーブッシュの中心軸とが一致しなくなるので、ノズル１０５又はスプルーブッシュが損傷したり、ノズル１０５の先端の当接面とスプルーブッシュの当接面との間に隙間が生じて溶融樹脂が漏れ出したりしてしまう。そのため、加熱シリンダ１０２の高さ位置を変更し、ノズル１０５の中心軸とスプルーブッシュの中心軸とを一致させるように調整する必要がある。
【００２０】
そして、加熱シリンダ１０２の後方部分の高さ位置は、調整ボルト１１９を回転させ、スライド部材１１１上に固定されている支持ブラケット１０８の高さ位置を調整することによって調整し、加熱シリンダ１０２の前方部分の高さ位置は、中間支持装置１１５の支持ロッド１１６の上端に配設されている高さ調整ねじ１１８を回転させることによって調整するようになっている。
【００２１】
ここで、金型が交換されると、ノズル１０５の先端の中心軸とスプルーブッシュの中心軸とが一致するように、ノズル１０５の先端の高さ位置を調整し、その後、前記高さ調整ねじ１１８及び調整ナット１１９を回転させ、加熱シリンダ１０２の前方部分及び後方部分の高さ位置を調整する。
【００２２】
しかし、加熱シリンダ１０２の先端に取り付けられたノズル１０５の先端を基準にして、加熱シリンダ１０２の前方部分及び後方部分の高さ位置を別々に調整することによって、長尺の加熱シリンダ１０２全体の高さ位置を適切に、かつ、均一に調整するためには、中間支持装置１１５の高さ調整ねじ１１８及び支持ブラケット１０８の高さ位置を調整する調整ボルト１１９を交互に回転させて繰り返して高さ位置の調整を行う必要があり、長時間かかってしまう。そして、このように長時間かかる加熱シリンダ１０２の高さ位置の調整を金型交換の度に行うと射出装置全体のスループットが低下してしまう。
【００２３】
本発明は、前記従来の支持装置の問題点を解決して、簡素でコンパクトな構成で、加熱シリンダの前方部分の高さ位置を調整する必要がない可塑化装置用支持装置を提供することを目的とする。
【００２４】
【課題を解決するための手段】
そのために、本発明の可塑化装置用支持装置においては、樹脂を可塑化する可塑化装置と該可塑化装置を支持する支持台との間に配設されるレール部材と、該レール部材に接触する回転可能なローラ、該ローラを支持する上下方向に移動可能なローラ支持部材、及び、該ローラ支持部材を支持する弾性部材を備え、前記可塑化装置と支持台との間に配設されるローラ支持装置とを有する。
【００２５】
本発明の他の可塑化装置用支持装置においては、さらに、前記レール部材は、前記可塑化装置に取り付けられ、前記ローラ支持装置は、前記支持台に取り付けられる。
【００２６】
本発明の更に他の可塑化装置用支持装置においては、さらに、前記レール部材は、前記支持台に取り付けられ、前記ローラ支持装置は、前記可塑化装置に取り付けられる。
【００２７】
本発明の更に他の可塑化装置用支持装置においては、さらに、前記ローラ支持部材は、ベース部材、及び、該ベース部材にガイドロッドを介して取り付けられ、前記ローラを回転可能に支持する支持ブラケットを備え、前記弾性部材は、前記支持ブラケットと前記ベース部材との間に介在する。
【００２８】
本発明の更に他の可塑化装置用支持装置においては、さらに、記ガイドロッドは、前記支持ブラケットを軸方向に摺（しゅう）動自在に支持し、前記支持ブラケットをアジャストするアジャストボルトが螺（ら）入されている。
【００２９】
本発明の更に他の可塑化装置用支持装置においては、さらに、前記弾性部材は、ばね部材である。
【００３０】
【発明の実施の形態】
以下、本発明の実施の形態について図面を参照しながら詳細に説明する。なお、本発明における支持装置は、押出成形装置の可塑化装置、ラミネータの可塑化装置、トランスファー成形装置の可塑化装置等の各種の装置や機械に適用することができるものであるが、本実施の形態においては、説明の都合上、射出装置における可塑化装置用の支持装置について説明する。
【００３１】
図３は本発明の第１の実施の形態における射出装置を示す側面図である。
【００３２】
図において、３１は可塑化装置の一部としての加熱シリンダ、３２は該加熱シリンダ３１内に配設された可塑化装置の一部としての回転スクリュ、３３は前記加熱シリンダ３１の先端（図における左端）に取り付けられたノズル、３４は固定プラテンである。また、前記加熱シリンダ３１の外周における後方（図における右方）部分には、図示されないホッパが取り付けられ、ペレット状の樹脂原料が前記加熱シリンダ３１内に供給される。さらに、前記加熱シリンダ３１の後方には、前記回転スクリュ３２を回転させる図示されないスクリュ回転装置、及び、前記回転スクリュ３２を前後方向（図における左右方向）に進退させる図示されないスクリュ進退装置が配設される。
【００３３】
ここで、前記可塑化装置においては、前記加熱シリンダ３１内において回転スクリュ３２が回転させられると、前記ホッパから投入されたペレット状の樹脂原料が加熱され、溶融され、可塑化される、すなわち、流動性の溶融樹脂となる。そして、加熱シリンダ３１内の図における回転スクリュ３２より左側の部分に溶融樹脂が徐々に蓄積されるようになっている。
【００３４】
なお、該溶融樹脂は、例えば、熱可塑性樹脂であり、ポリエチレン、ポリプロピレン、ポリスチレン、ＡＢＳ樹脂、ポリカーボネイト、ポリアミド、ポリアセタール等であるが、いかなるものであってもよく、フェノール樹脂、不飽和ポリエステル樹脂等の熱硬化性樹脂であってもよい。また、前記成形品は、光学部品、ディスク基板等の精密部品であってもよく、例えば、自動車の内装部品やボンネットのような精密部品以外のものでもよい。
【００３５】
そして、支持ブラケット３８には加熱シリンダ３１の後方（図における右方）部分が取り付けられ、該加熱シリンダ３１の重量は、ほとんど前記支持ブラケット３８によって支持される。また、該支持ブラケット３８は、ガイドロッド４２に沿って前後方向にスライドするスライド部材４１に固定される。ここで、前記支持ブラケット３８は、調整ボルト４３を回転させることによって、スライド部材４１に対する高さ位置を調整することができるようになっている。また、該スライド部材４１の後方には、図示されないスライド部材駆動装置が配設され、前記スライド部材４１を前後方向にスライドさせ、加熱シリンダ３１を前後方向に移動させるようになっている。なお、前記ガイドロッド４２は射出装置支持台３６上に固定されている。そのため、前記加熱シリンダ３１、支持ブラケット３８、スライド部材４１、ガイドロッド４２等の重量は、前記射出装置支持台３６によって支えられる。
【００３６】
また、前記加熱シリンダ３１の先端近傍における下面には、該加熱シリンダ３１の中心軸と平行に延在するレール部材１０が取り付けられる。さらに、前記加熱シリンダ３１の下方に位置する射出装置支持台３６の上面にはローラ支持装置２０が取り付けられる。なお、前記加熱シリンダ３１の周囲には、加熱ヒータ、オイルのような熱媒が流通する熱媒流路等から成る加熱装置を取り付けることもできる。
【００３７】
一方、前記固定プラテン３４は、型締装置支持台３７上に固定され、さらに、前記固定プラテン３４の図における左側の面には、図示されない固定金型が取り付けられている。また、該固定金型の左側には図示されない型締装置の可動プラテンに取り付けられた可動金型が配設される。そして、前記型締装置が作動して、前記可動金型の合わせ面が固定金型の合わせ面に押し付けられて型閉が行われると、前記固定金型及び可動金型の合わせ面に成形品の形状を有するキャビティが形成されるようになっている。
【００３８】
そして、前記スライド部材駆動装置が作動し、スライド部材４１が前方（図における左方）へ移動させられる。これにより、前記加熱シリンダ３１が前進するので、ノズル３３は固定プラテン３４に形成された挿入孔３５内に進入させられる。そして、前記ノズル３３の先端は固定金型の背面に取り付けられたスプルーブッシュに押し付けられるようになっている。
【００３９】
次に、本発明の第１の実施の形態における可塑化装置用支持装置の詳細な構成を説明する。
【００４０】
図１は本発明の第１の実施の形態における可塑化装置用支持装置を示す側面図、図４は本発明の第１の実施の形態における可塑化装置用支持装置を示す側面図であり図１のＡ−Ａ矢視図、図５は本発明の第１の実施の形態における可塑化装置用支持装置のローラ支持装置示す側面図であり図１のＢ部拡大部分断面図である。
【００４１】
図１及び４に示されるように、レール部材１０は、下側板１１、上側板１５及び前記下側板１１と上側板１５とを連結する連結板１２を備える。そして、前記上側板１５は、取付ボルト１４によって加熱シリンダ３１の下面に取り付けられる。なお、前記取付ボルト１４の数は、任意であるが、複数であることが望ましい。また、前記取付ボルト１４が上側板１５の両端近傍だけでなく中間部分にも配設される場合、図１に示されるように、連結板１２に作業窓１３を開設し、取付ボルト１４の締め付け等の作業を行うことができるようにする。
【００４２】
ここで、前記下側板１１の前後方向の長さ寸法は、通常の射出成形工程において加熱シリンダ３１が前後方向に移動する距離よりも長いことが望ましい。また、前記下側板１１の前端部分は、図１に示されるように上方に向けて傾斜し、下側板１１の下面が傾斜面となることが望ましい。なお、該傾斜面の傾斜角度は、例えば、水平面に対して５〜３０度であるが、適宜変更することができる。
【００４３】
また、ローラ支持装置２０は、図１に示されるように、ローラとしての回転ローラ２３、該回転ローラ２３を回転可能に支持するローラ支持部材としての上側支持ブラケット２６、該上側支持ブラケット２６が取り付けられるローラ支持部材としての下側支持ブラケット２２、該下側支持ブラケット２２を下方から弾性的に支持する弾性部材としてのばね部材２８、及び、該ばね部材２８を下方から支持し、射出装置支持台３６の上面に取り付けられるベース部材２９を備える。なお、前記上側支持ブラケット２６及び下側支持ブラケット２２は一体的に形成されていてもよい。また、前記回転ローラ２３は、図５に示されるように、回転軸２５を介して、前記上側支持ブラケット２６に取り付けられる。
【００４４】
ここで、前記ばね部材２８は、例えば、中心部が空洞になったコイルばねであることが望ましいが、いかなる種類のものであってもよい。そして、図５に示されるように、ばね部材２８の中心部には、ガイドロッド２７が配設される。該ガイドロッド２７の下端には、ねじ部が形成され、ベース部材２９に穿（せん）設されたねじ孔に螺入されて、固定されている。また、下側支持ブラケット２２には、段付孔１６が穿設され、該段付孔１６の小径部に前記ガイドロッド２７の上端部が上下動可能に挿入されている。これにより、前記下側支持ブラケット２２は、上下方向に移動可能であるが、横方向には、前記ガイドロッド２７によって規制され、移動不能となる。
【００４５】
また、該ガイドロッド２７の上端には、ねじ孔が穿設され、アジャストボルト１７が螺入される。そして、該アジャストボルト１７のボルトヘッドの下面と前記ガイドロッド２７の上端面との間には、穴あき円盤状のワッシャ１８が配設される。該ワッシャ１８は、外径が段付孔１６の大径部の内径より小さく、かつ、小径部の内径より大きいので、下面が前記段付孔１６の段部の面に接触する。
【００４６】
ここで、ばね部材２８の自由長は、図５に示される状態よりも長い。つまり、図５に示される状態において、前記ばね部材２８はいくらか圧縮された状態、すなわち、予圧（プリロード）がかけられた状態となっている。なお、図５に示される状態において、ワッシャ１８は下面がガイドロッド２７の上端面に接触しているので、これ以上、下がることがない。すなわち、図５に示される状態は、予圧を最大にかけた状態である。
【００４７】
そして、この状態からアジャストボルト１７を緩めるとボルトヘッドの下面が上昇する。すると、前記ばね部材２８の上向きのばね力によって下側支持ブラケット２２が上昇し、ワッシャ１８も上昇する。これにより、ばね部材２８にかけられている予圧が減少する。このように、前記アジャストボルト１７を緩めたり締め付けたりして、前記ばね部材２８にかける予圧を調整することができる。
【００４８】
また、回転ローラ２３に下向きの外力が加えられた場合、該外力が下側支持ブラケット２２に伝達されるので、該下側支持ブラケット２２は下方に移動させられる。この場合の移動距離Ｓは、ばね部材２８のばね力と前記外力によって決定される。なお、前記ばね部材２８、ガイドロッド２７等は、図５に示されるように、複数配設されることが望ましい。また、前記ばね部材２８の上向きのばね力は、前記加熱シリンダ３１の先端近傍の重量を弱く支持する程度の力であることが望ましい。
【００４９】
これにより、前記回転ローラ２３は、所定のストロークの範囲内で上下方向に移動し、下側板１１を下方から弾性的に支持することができる。
【００５０】
次に、前記構成の可塑化装置用支持装置の動作について説明する。
【００５１】
まず、加熱シリンダ３１内において回転スクリュ３２が回転させられると、ホッパから投入されたペレット状の樹脂原料が加熱され、溶融され、可塑化され、流動性の溶融樹脂となる。そして、加熱シリンダ３１内の図３における回転スクリュ３２より左側の部分に溶融樹脂が蓄積される。そして、型締装置が作動して、可動金型の合わせ面が固定金型の合わせ面に押し付けられて型閉が行われ、前記固定金型及び可動金型の合わせ面に成形品の形状を有するキャビティが形成される。
【００５２】
続いて、スライド部材駆動装置が作動し、スライド部材４１が前方へ移動させられる。これにより、前記加熱シリンダ３１が前進するので、ノズル３３が固定プラテン３４に形成された挿入孔３５内に進入する。そして、前記ノズル３３の先端は固定金型の背面に取り付けられたスプルーブッシュに押し付けられる。
【００５３】
ここで、前記加熱シリンダ３１が図３において右方に位置する時は、レール部材１０の下側板１１の下面と、ローラ支持装置２０の回転ローラ２３の上面とは、接触しておらず、離れている。なお、前記回転ローラ２３の上面の高さ位置は、図１に示されるように、下側板１１の下面の高さ位置よりもわずかに高くなっている。そして、前記加熱シリンダ３１とともに前記レール部材１０が前進すると、まず、下側板１１の先端部の下面に形成された傾斜面が前記回転ローラ２３に接触する。すると、該回転ローラ２３は、下側支持ブラケット２２、ばね部材２８等を介して、上下方向に移動可能に下方から弾性的に支持されているので、徐々に下方に移動させられる。
【００５４】
そして、下側板１１の下面の水平な部分が回転ローラ２３上に来ると、該回転ローラ２３は、それ以上、下方に移動することがなく、前記下側板１１の下面とのトラクションによって回転させられる。ここで、前記回転ローラ２３にはばね部材２８による上向きの力が伝達されているので、前記レール部材１０の下側板１１は、上向きの力を受ける、すなわち、下方から支えられる。
【００５５】
このように、加熱シリンダ３１が前進している間、前記加熱シリンダ３１の先端近傍の重量は、前記レール部材１０及びローラ支持装置２０によって支持されている。そのため、前記加熱シリンダ３１が自重によって撓むことがないので、前記回転スクリュ３２の外周が前記加熱シリンダ３１の内周面と接触し、前記回転スクリュ３２の外周及び加熱シリンダ３１の内周面が摩耗してしまうことがない。
【００５６】
また、前記加熱シリンダ３１の先端に取り付けられたノズル３３の高さ方向の位置は、変化することがない。したがって、前記ノズル３３の先端がスプルーブッシュに押し付けられる時に、前記ノズル３３の先端の中心軸とスプルーブッシュの中心軸とが一致しているので、前記ノズル３３又はスプルーブッシュが損傷することがない。
【００５７】
なお、前記レール部材１０とローラ支持装置２０との相対的位置関係は、適宜変更することができる。例えば、前記ローラ支持装置２０を図３に示される位置よりも右方に配設すると、前述されたように前記加熱シリンダ３１が前進を開始した時には、レール部材１０の下側板１１の下面とローラ支持装置２０の回転ローラ２３の上面とが接触した状態となる。また、前記レール部材１０をより長くすると、同様に、レール部材１０の下側板１１の下面とローラ支持装置２０の回転ローラ２３の上面とが接触している区間が長くなる。
【００５８】
次に、金型が交換されると、スプルーブッシュの高さ位置がわずかではあるが変化する。そのため、ノズル３３の先端の中心軸とスプルーブッシュの中心軸とが一致するように、調整ボルト４３を回転させ、加熱シリンダ３１の後方部分の高さ位置を調整する。この場合、該加熱シリンダ３１の先端近傍は、前記レール部材１０及びローラ支持装置２０によって、上下方向に移動可能に下方から弾性的に支持されているので、前記加熱シリンダ３１の後方部分に追随して、上下方向に移動する。すなわち、前記高さ位置の変化量がわずかであって、回転ローラ２３が上下方向に移動可能な範囲内であれば、調整ボルト４３を回転させて、加熱シリンダ３１の後方部分の高さ位置を調整することによって、該加熱シリンダ３１は、水平な状態を維持しながら上下方向に移動する。
【００５９】
そのため、金型が交換されてスプルーブッシュの高さ位置が変化した場合でも、調整ボルト４３を回転させるだけで、ノズル３３の先端の中心軸とスプルーブッシュの中心軸とが一致するように、加熱シリンダ３１全体の高さ位置を適切に調整する。したがって、前記加熱シリンダ３１全体の高さ位置の調整を容易に短時間で行うことができる。
【００６０】
また、加熱シリンダ３１の高さ位置の調整を行った後も、前述されたように、前記加熱シリンダ３１の先端近傍の重量は、レール部材１０及びローラ支持装置２０によって支持されているので、前記加熱シリンダ３１が自重によって撓むことがない。
【００６１】
このように、本実施の形態においては、加熱シリンダ３１の先端近傍における下面にレール部材１０が取り付けられ、該レール部材１０の下側板１１の下面を回転ローラ２３によって下方から支持するようになっている。しかも、該回転ローラ２３を支持する上側支持ブラケット２６及び下側支持ブラケット２２は、ばね部材２８によって上下方向に移動可能に下方から弾性的に支持されている。
【００６２】
そのため、加熱シリンダ３１は、先端近傍が下方から支持されるので、自重によって撓むことがない。また、加熱シリンダ３１の高さ位置を調整する時も、回転ローラ２３の高さは、自動的に変化するので、調整する必要がない。したがって、加熱シリンダ３１全体の高さ位置も、調整ボルト４３を回転させるだけで、容易に短時間で行うことができる。さらに、回転ローラ２３の高さ調整が不要なので、調整ミスが発生することもない。
【００６３】
次に、本発明の第２の実施の形態について説明する。なお、前記第１の実施の形態と同じ構造を有するものについては、同一符号を付与し、その説明を省略する。
【００６４】
図６は本発明の第２の実施の形態における射出装置を示す側面図である。
【００６５】
本発明の第２の実施の形態においては、レール部材１０が射出装置支持台３６の上面に取り付けられ、ローラ支持装置２０が加熱シリンダ３１の下面に取り付けられている。
【００６６】
なお、前記レール部材１０とローラ支持装置２０との相対的位置関係は、適宜変更することができる。例えば、前記レール部材１０を図６に示される位置よりも右方に配設すると、前述されたように前記加熱シリンダ３１が前進を開始した時には、レール部材１０の上側板１１’  の上面とローラ支持装置２０の回転ローラ２３の下面とが接触した状態となる。また、前記レール部材１０をより長くすると、同様に、レール部材１０の上側板１１’  の下面とローラ支持装置２０の回転ローラ２３の上面とが接触している区間が長くなる。
【００６７】
このように、本実施の形態においては、レール部材１０が射出装置支持台３６の上面に取り付けられ、ローラ支持装置２０が加熱シリンダ３１の下面に取り付けられている。
【００６８】
この場合、ローラ支持装置２０のほうがレール部材１０よりも軽量なので、加熱シリンダ３１に加えられる重量が前記第１の実施の形態の場合よりも低減される。そのため、前記加熱シリンダ３１の撓みをより効果的に防止することができる。
【００６９】
なお、本発明は前記実施の形態に限定されるものではなく、本発明の趣旨に基づいて種々変形させることが可能であり、それらを本発明の範囲から排除するものではない。
【００７０】
【発明の効果】
以上詳細に説明したように、本発明によれば、可塑化装置用支持装置においては、樹脂を可塑化する可塑化装置と該可塑化装置を支持する支持台との間に配設されるレール部材と、該レール部材に接触する回転可能なローラ、該ローラを支持する上下方向に移動可能なローラ支持部材、及び、該ローラ支持部材を支持する弾性部材を備え、前記可塑化装置と支持台との間に配設されるローラ支持装置とを有する。
【００７１】
この場合、可塑化装置は、下方から支持されるので、自重によって撓むことがない。また、可塑化装置の高さ位置を調整する時、ローラの高さは、自動的に変化するので、調整する必要がない。さらに、ローラの高さ調整が不要なので、調整ミスが発生することもない。
【図面の簡単な説明】
【図１】本発明の第１の実施の形態における可塑化装置用支持装置を示す側面図である。
【図２】従来の支持装置が取り付けられた可塑化装置を示す側面図である。
【図３】本発明の第１の実施の形態における射出装置を示す側面図である。
【図４】本発明の第１の実施の形態における可塑化装置用支持装置を示す側面図である。
【図５】本発明の第１の実施の形態における可塑化装置用支持装置のローラ支持装置示す側面図であり図１のＢ部拡大部分断面図である。
【図６】本発明の第２の実施の形態における射出装置を示す側面図である。
【符号の説明】
１０    レール部材
２０    ローラ支持装置
２２    下側支持ブラケット
２３    回転ローラ
２６    上側支持ブラケット
２８    ばね部材
３１    加熱シリンダ
３２    回転スクリュ
３３    ノズル
【図１】
0003559014.tif 000002
【図２】
0003559014.tif 000003
【図３】
0003559014.tif 000004
【図４】
0003559014.tif 000005
【図５】
0003559014.tif 000006
【図６】
0003559014.tif 000007